(57)【要約】【課題】通常のドラムの音色を保ったままでサステインを短くできるようにする。【解決手段】胴部２を含むドラム本体と、膜部１２を有し、前記膜部１２に開口孔１５を形成したドラムヘッド３と、前記開口孔１５を覆う遮蔽部６と、を備えるドラムを提供する。また、前記遮蔽部６が、前記開口孔１５の縁部との間に隙間ｔ１が形成されるように前記開口孔１５を覆うドラムを提供する。また、前記遮蔽部６が、前記胴部２、及び、前記ドラム本体のフープ２２の少なくとも一方で支持されているドラムを提供する。【選択図】図４
2016177124.tif 000002
【特許請求の範囲】
【請求項１】
胴部を含むドラム本体と、
膜部を有し、前記膜部に開口孔を形成したドラムヘッドと、
前記開口孔を覆う遮蔽部と、
を備えるドラム。
【請求項２】
前記遮蔽部が、前記開口孔の縁部との間に隙間が形成されるように前記開口孔を覆う請求項１に記載のドラム。
【請求項３】
前記遮蔽部が、前記胴部、及び、前記ドラム本体のフープの少なくとも一方で支持されている請求項１又は請求項２に記載のドラム。
【請求項４】
遮蔽部に、前記胴部の内外の空間を連通させる貫通孔が形成されている請求項１から請求項３のいずれか一項に記載のドラム。
【請求項５】
前記開口孔が、前記膜部の外周領域において前記膜部の周方向に沿って複数配列され、
前記遮蔽部が、複数の前記開口孔に対応付けて複数設けられている請求項１から請求項４のいずれか一項に記載のドラム。
【発明の詳細な説明】
【技術分野】
【０００１】
本発明は、ドラムに関する。
【背景技術】
【０００２】
一般に、アコースティックドラムでは、ドラムヘッドを打撃することで音を発生する。この発生音の音色は、主に、アタック音と呼ばれる打撃した瞬間の立ち上がりと、サステイン（音の伸び）と呼ばれるドラムヘッドの振動の自由減衰により決定される。ドラムを演奏する際には、音楽のジャンルや演奏する場所などの用途に応じて、上記したアタック音やサステインの調整が必要となる場合がある。
【０００３】
従来では、アタック音やサステインを調整するための様々な構造が提案されている。例えば特許文献１には、ドラムヘッドの打面やこれと反対側の面の外周領域に各種ミュート部材を取り付けた構造が開示されている。この構造では、ドラムヘッドを打撃した際のドラムヘッドの外周領域の振動をミュート部材によって吸収することで、サステインを短くすることができる。
【先行技術文献】
【特許文献】
【０００４】
【特許文献１】米国特許第５６３７８１９号明細書
【発明の概要】
【発明が解決しようとする課題】
【０００５】
しかしながら、特許文献１のようにミュート部材をドラムヘッドに取り付けた構造のドラムでは、ドラムヘッドの振動態様が、ミュート部材を設けない通常のドラムと比較して大きく変化してしまう。
このため、ミュート部材を用いたドラムによる発生音の音色が、通常のドラムによる発生音の音色と大きく異なってしまう、すなわち、ドラム本来の音色が失われてしまう、という問題がある。
【０００６】
本発明は、上述した事情に鑑みてなされたものであって、通常のドラムの音色を保ったままでサステインを短くすることが可能なドラムを提供することを目的とする。
【課題を解決するための手段】
【０００７】
上記課題を解決するために、本発明のドラムは、胴部を含むドラム本体と、膜部を有し、前記膜部に開口孔を形成したドラムヘッドと、前記開口孔を覆う遮蔽部と、を備えることを特徴とする。
【発明の効果】
【０００８】
本発明によれば、通常のドラムの音色を保ったままでサステインを短くすることができる。
【図面の簡単な説明】
【０００９】
【図１】本発明の一実施形態に係るスネアドラムを示す上面図である。
【図２】本発明の一実施形態に係るスネアドラムを示す下面図である。
【図３】図１，２のIII−III矢視断面図である。
【図４】図１のIV−IV矢視断面図である。
【図５】通常ドラム、比較例ドラム、及び、図１〜４に示す実施例ドラムによる音圧レベルの時間履歴を相対的に示すグラフである。
【図６】図１〜４に示すスネアドラムの第一変形例を示す要部拡大断面図である。
【図７】図１〜４に示すスネアドラムの第二変形例を示す上面図である。
【図８】本発明の他の実施形態に係るバスドラムを示す側面図である。
【図９】図８に示すバスドラムをバターヘッド側から見た平面図である。
【図１０】図８に示すバスドラムに第一例のフロントヘッドを設けた平面図である。
【図１１】図８に示すバスドラムに第二例のフロントヘッドを設けた平面図である。
【発明を実施するための形態】
【００１０】
以下、図１〜５を参照して本発明の一実施形態について説明する。
図１〜３に示すように、この実施形態に係るドラムは、スネアドラム１であり、筒状のシェル（胴部）２と、シェル２の一方の開口に取り付けられて打面として使用されるバターヘッド（ドラムヘッド）３Ａと、シェル２の他方の開口に取り付けられるスネアサイドヘッド（ドラムヘッド）３Ｂと、を備える。以下の説明では、バターヘッド３Ａ、スネアサイドヘッド３Ｂをドラムヘッド３と呼ぶことがある。
【００１１】
シェル２は、木材や金属などの材料によって構成されている。
バターヘッド３Ａ、スネアサイドヘッド３Ｂの各ドラムヘッド３は、いずれもＰＥＴ（ポリエチレンテレフタレート）などのフィルムからなる平面視円形のヘッド部１１を備える。ヘッド部１１は、シェル２の各開口の縁部２Ａ，２Ｂの内側に配される膜部１２と、膜部１２の外縁に一体に形成され、シェル２の各開口の縁部２Ａ，２Ｂの外側に配される外側膜部１３と、を有する。膜部１２は、バターヘッド３Ａの膜部１２を打撃した際に有効に振動する部分である。以下の説明では、膜部１２を有効振動膜部１２と呼ぶ。
【００１２】
外側膜部１３は、ドラムヘッド３をシェル２に取り付けた状態において、有効振動膜部１２の外縁から、有効振動膜部１２の径方向外側に向かうにしたがって有効振動膜部１２の膜厚方向に傾斜するように延在する。
また、本実施形態のドラムヘッド３は、ヘッド部１１（外側膜部１３）の外縁に連結されて、ヘッド部１１を平面視円形状に保持するフレッシュフープ１４を備える。フレッシュフープ１４の内径寸法はシェル２の外径寸法よりも大きく設定されている。
【００１３】
また、スネアドラム１は、スネアサイドヘッド３Ｂに対して選択的に押し付けられるスナッピ４と、各ドラムヘッド３のヘッド部１１をシェル２の各開口に張り付けて有効振動膜部１２にテンションを付与する張設部５と、備える。
本実施形態の張設部５は二つのドラムヘッド３に対して一つずつ設けられる。また、張設部５は、従来周知のラグ２１、フープ２２及びチューニングボルト２３によって構成されている。ラグ２１及びこれに螺着されるチューニングボルト２３は、シェル２の周方向に均等に複数配列されている。そして、各ラグ２１に螺着された各チューニングボルト２３を締め付けることで、フープ２２がドラムヘッド３のフレッシュフープ１４をシェル２のうちドラムヘッド３を取り付けた一方の開口側から他方の開口側に向けて付勢する。これによって、有効振動膜部１２にテンションが付与される。
【００１４】
そして、図１，２，４に示すように、各ドラムヘッド３の有効振動膜部１２には、その厚さ方向に貫通する開口孔１５が形成されている。本実施形態では、開口孔１５が、有効振動膜部１２の外周領域１２Ａにおいて有効振動膜部１２の周方向に沿って複数配列されている。ここで、外周領域１２Ａとは、有効振動膜部１２のうち打撃されない領域、あるいは、演奏において打撃される必要がない領域を示す。
バターヘッド３Ａにおける外周領域１２Ａの内縁は、有効振動膜部１２のうちドラムスティック等によって打撃される中央領域１２Ｂを確保できるように、例えば有効振動膜部１２の半径の７５％よりも径方向外側に位置するとよい。一方、スネアサイドヘッド３Ｂにおいては、少なくともスナッピ４によって打撃される領域を確保できればよいため、スネアサイドヘッド３Ｂにおける外周領域１２Ａの内縁は、例えば図２のようにバターヘッド３Ａにおける外周領域１２Ａの内縁よりも有効振動膜部１２の径方向内側に位置してもよい。
【００１５】
図１，２に示すように、各ドラムヘッド３において複数の開口孔１５は、有効振動膜部１２の周方向に沿って等間隔に配列されている。平面視した各開口孔１５のうち有効振動膜部１２の径方向内側の端部は、径方向内側に向けて先細る凸状に形成されている。本実施形態では、各開口孔１５の径方向内側の端部の縁形状が円弧状に形成されている。また、本実施形態のバターヘッド３Ａでは、有効振動膜部１２の径方向に沿う開口孔１５の寸法が、有効振動膜部１２の周方向に沿う開口孔１５の寸法よりも小さい。
さらに、本実施形態では、図４に例示するように、各開口孔１５が有効振動膜部１２と外側膜部１３との境界を跨ぐように形成されている。すなわち、開口孔１５は、有効振動膜部１２及び外側膜部１３の両方にわたって形成されている。
【００１６】
開口孔１５の径方向外側の端部は、例えば図４のようにフレッシュフープ１４に到達してもよいが、例えばフレッシュフープ１４に到達しなくてもよい。開口孔１５の径方向外側の端部がフレッシュフープ１４に到達しない場合には、ヘッド部１１をフレッシュフープ１４に取り付けた後に開口孔１５を容易に形成することができる。すなわち、ドラムヘッド３を容易に製造することができる。
本実施形態の各ドラムヘッド３では、複数の開口孔１５が互いに同じ形状かつ同じ大きさに形成されている。有効振動膜部１２における各開口孔１５の開口面積は、例えば７８ｍｍ２以上に設定されるとよい。
【００１７】
図１，２では、開口孔１５の数が、張設部５のラグ２１やチューニングボルト２３と同数に設定されているが、これに限ることはない。また、各ドラムヘッド３は、例えば図１，２に示すように、開口孔１５が周方向に隣り合うラグ２１やチューニングボルト２３の間に位置するように、シェル２に取り付けられてもよいが、これに限ることはない。
【００１８】
さらに、スネアドラム１は、図１〜４に示すように、各ドラムヘッド３の開口孔１５の縁部との間に隙間ｔ１が形成されるように開口孔１５を覆う遮蔽部６を備える。遮蔽部６は、各ドラムヘッド３の複数の開口孔１５に対して一つずつ設けられる。
遮蔽部６は、バターヘッド３Ａやスネアサイドヘッド３Ｂを打撃しても振動しない程度の剛性を有している。遮蔽部６は、アルミニウム、ステンレス等の金属、樹脂、発泡樹脂など、空気を通さない任意の材料によって構成されてよい。本実施形態の遮蔽部６は、板状に形成されている。遮蔽部６の板厚は、例えば図４のようにドラムヘッド３の厚みよりも大きくてもよいが、これに限ることはない。
【００１９】
本実施形態において、遮蔽部６の平面視形状は、開口孔１５の平面視形状に相似している。また、平面視した遮蔽部６の大きさは、平面視した開口孔１５よりも小さい。この遮蔽部６は、その板厚方向がドラムヘッド３の厚さ方向に一致するように、開口孔１５に挿入されている。すなわち、本実施形態の遮蔽部６は開口孔１５の大半を埋めている。この状態において、開口孔１５の縁部と遮蔽部６との隙間ｔ１は、平面視した開口孔１５の径方向内側に現れる。隙間ｔ１の寸法（開口孔１５と遮蔽部６との間隔）は、ドラムヘッド３と遮蔽部６が干渉しない範囲でなるべく小さく設定するとよい。隙間ｔ１の寸法は、例えば１〜２ｍｍ程度であるとよい。
また、開口孔１５に挿入される遮蔽部６は、例えば有効振動膜部１２に対してシェル２の外側に突出する高さが低くなるように、あるいは、シェル２の外側に突出しないように配されるとよい。
【００２０】
上記した遮蔽部６は、シェル２及び張設部５を含むドラム本体１０で支持されている。本実施形態では、遮蔽部６がシェル２で支持されている。具体的には、遮蔽部６は、支持部７を介してシェル２の内周面に固定される。
【００２１】
本実施形態のスネアドラム１によれば、ドラムヘッド３の有効振動膜部１２に開口孔１５が形成されると共に、開口孔１５の縁部と遮蔽部６との間に隙間ｔ１が形成されるように開口孔１５が遮蔽部６によって覆われている。このため、シェル２に取り付けたバターヘッド３Ａを打撃して各ドラムヘッド３の有効振動膜部１２が振動した際には、各ドラムヘッド３において開口孔１５の縁部と遮蔽部６との間の隙間ｔ１を通じてスネアドラム１の内外に流出入する空気の流速増加に伴うエネルギー損失が大きくなる。すなわち、空気が隙間ｔ１を通じてスネアドラム１の内外に流出入することで各ドラムヘッド３の振動が抑制される。これにより、開口孔１５を有するが、遮蔽部６を備えないドラムと比較して、打撃時の発生音におけるサステインを短くすることができる。スネアドラム１では、タイトな（しまりのある）音が求められることが多いため、開口孔１５を覆う遮蔽部６を設けてサステインを短くすることは非常に有効である。
なお、サステインを短くする度合いは、隙間ｔ１の大きさを変化させることで、適宜調整できる。例えば、隙間ｔ１を大きくすると、サステインが長くなる。
【００２２】
また、本実施形態のスネアドラム１によれば、各ドラムヘッド３の有効振動膜部１２に複数の開口孔１５が形成されている。これにより、バターヘッド３Ａを打撃した際には、各ドラムヘッド３の振動の空気への伝搬が減少するため、打撃による発生音の音量を低減することができる。
具体的には、バターヘッド３Ａに複数の開口孔１５が形成されていることで、バターヘッド３Ａの有効振動膜部１２がドラムスティック等によって打撃されることで発生する発生音の音量を低減できる。また、スネアサイドヘッド３Ｂに複数の開口孔１５が形成されていることで、スネアサイドヘッド３Ｂの有効振動膜部１２がスナッピ４によって打撃されることで発生する発生音の音量を低減できる。これにより、バターヘッド３Ａによる発生音の音量、及び、スネアサイドヘッド３Ｂによる発生音の音量をバランスよく低減することができる。
また、開口孔１５が有効振動膜部１２の外周領域１２Ａに形成されることで、各開口孔１５の開口面積を大きく設定できる。その結果、打撃による発生音の音量を効果的に低減することができる。
【００２３】
また、本実施形態のスネアドラム１によれば、遮蔽部６がシェル２で支持されている。これにより、遮蔽部６は主にシェル２の内部に位置するため、ドラムヘッド３を交換する際に、遮蔽部６がドラムヘッド３の交換を阻害することを防止できる。すなわち、ドラムヘッド３を通常のスネアドラムの場合と同様に、容易に交換することができる。
また、本実施形態では、開口孔１５を有するドラムヘッド３がバターヘッド３Ａやスネアサイドヘッド３Ｂであるため、遮蔽部６がバターヘッド３Ａやスネアサイドヘッド３Ｂの打撃を阻害することを抑制できる。
【００２４】
さらに、本実施形態のスネアドラム１によれば、各ドラムヘッド３に形成される開口孔１５のうち有効振動膜部１２の径方向内側の端部が、径方向内側に向けて先細る凸状に形成されている。このため、張設部５によって有効振動膜部１２にテンションを付与する際に、有効振動膜部１２のうち開口孔１５の径方向内側の部位に十分なテンションを付与することができる。したがって、ドラムヘッド３を打撃した際に開口孔１５の径方向内側の部位に不要な共振が現れることを防いで、音色が劣化することを防止できる。
例えば、ドラムヘッド３に形成される開口孔１５のうち有効振動膜部１２の径方向内側の端部が、径方向内側に向けて先細る凸状に形成されていない場合には、有効振動膜部１２のうち開口孔１５の径方向内側の部位にテンションを付与することができない。このため、ドラムヘッド３が打撃により振動した際には開口孔１５の径方向内側の部位に不要な共振が現れ、音色が劣化してしまう。
【００２５】
また、本実施形態のスネアドラム１によれば、複数の開口孔１５が有効振動膜部１２の外周領域１２Ａに形成されるため、開口孔１５が形成されていない有効振動膜部１２の中央領域１２Ｂを打撃用の領域として活用できる。すなわち、ドラムヘッド３（特にバターヘッド３Ａ）の耐久性も確保することができる。
【００２６】
さらに、本実施形態のスネアドラム１によれば、各ドラムヘッド３において、開口孔１５のうち有効振動膜部１２の径方向外側の端部が有効振動膜部１２に位置しないため、開口孔１５を有効振動膜部１２のみに形成する場合と比較して、ドラムスティックやスナッピ４等によって打撃される中央領域１２Ｂの面積を十分に確保しながら有効振動膜部１２における開口孔１５の開口面積を容易に拡大することができる。すなわち、発生音の音量をより低減することが可能となる。
【００２７】
また、本実施形態のスネアドラム１によれば、有効振動膜部１２の径方向に沿う開口孔１５の寸法が、有効振動膜部１２の周方向に沿う開口孔１５の寸法よりも小さい。このため、中央領域１２Ｂの面積を十分に確保しながら、開口孔１５の開口面積も大きく設定することが可能となる。
【００２８】
さらに、本実施形態のスネアドラム１によれば、複数の開口孔１５が等間隔に配列されることで、ドラムヘッドの対称性が良好に保たれるため、打撃に伴う各ドラムヘッド３の全ての振動モードを開口孔１５のない通常のドラムヘッドに近い振動形態とすることができる。したがって、通常のスネアドラムにさらに近い音色を得ることができる。
【００２９】
また、本実施形態では、各ドラムヘッド３が通常のドラムヘッドと同じ構造である。このため、張設部５によるヘッド部１１の張り具合の調整（チューニング）を、通常のドラムヘッドの場合と同様に実施することもできる。さらに、同一のシェル２に対して通常のドラムヘッドを本実施形態のドラムヘッド３に交換できるため、シェル２の特徴や特色に応じた音色を有しながら発生音の音量低減を図ることができる。
【００３０】
また、本実施形態のスネアドラム１のドラムヘッド３では、開口孔１５の開口面積を変えることにより、所望の発生音の音量に設定することができる。例えば、開口孔１５の開口面積を大きくすることで、発生音の音量を小さくすることができる。したがって、開口孔１５の開口面積が異なる複数種類のドラムヘッド３を用意しておくことで、演奏に必要な音量の発生音を発生するドラムヘッド３を適切に選択することも可能となる。
【００３１】
上記した本実施形態のスネアドラム１による効果について、バターヘッド３Ａ及びスネアサイドヘッド３Ｂに開口孔１５が形成されていない通常のスネアドラム（以下、通常ドラムと呼ぶ。）、及び、バターヘッド３Ａ及びスネアサイドヘッド３Ｂに開口孔１５を形成するが遮蔽部６を備えないスネアドラム（以下、比較例ドラムと呼ぶ。）と比較して説明する。
【００３２】
本実施形態のスネアドラム１（以下、実施例ドラム１と呼ぶ。）、通常ドラム、及び、比較例ドラムの各バターヘッドを同じ条件で打撃した際の等価騒音レベルを測定した。その結果、実施例ドラム１及び比較例ドラムの等価騒音レベルは、ほぼ同等であり、いずれも通常ドラムよりも低い。すなわち、開口孔１５を有する実施例ドラム１及び比較例ドラムでは、打撃時の発生音の音量を通常ドラムよりも低減することができる。
音量が低減する主要因としては、有効振動膜部１２に開口孔１５が形成されていることで、振動によって音を放射する有効振動膜部１２の有効面積が少なくなることが考えられる。また、音量が低減する副要因としては、バターヘッド及びスネアサイドヘッドのうち一方のヘッドからの音の放射が少なくなることで、他方のヘッドの応答が減少し、これに伴って他方のヘッドからの音の放射も少なくなることが考えられる。
【００３３】
また、通常ドラム、実施例ドラム１及び比較例ドラムによる発生音の周波数特性を測定した。その結果、いずれのドラムであっても基音や倍音を示す複数のピークが現れるものの、低音域（例えば１００〜８００Ｈｚの周波数帯域）における各ピークの鋭さは、通常ドラム及び実施例ドラム１と、比較例ドラムとで異なる。比較例ドラムにおける各ピークの鋭さは、通常ドラム及び実施例ドラム１よりも鋭い。これは、比較例ドラムにおけるサステインが、通常ドラム及び実施例ドラム１よりも長いことを意味する。
一方、実施例ドラム１における各ピークの鋭さは、通常ドラムとほぼ同等である。これは、実施例ドラム１におけるサステインが、通常ドラムに近い長さであることを意味する。すなわち、実施例ドラム１による発生音の音色は、比較例ドラムよりも通常ドラムの音色に近いことを意味する。
【００３４】
各ドラムにおけるサステインについて、図５を参照して説明する。図５のグラフは、通常ドラム、比較例ドラム及び実施例ドラム１について、同じ条件で打撃した際の発生音の相対的な音圧レベルの時間履歴を示している。図５のグラフでは、発生音のうち基音（２００Ｈｚ付近の音）の時間履歴を例示している。また、図５のグラフでは、通常ドラム、比較例ドラム及び実施例ドラム１による基音のうち最大の音圧レベルを一致させている。
図５に示すように、通常ドラム、比較例ドラム及び実施例ドラム１のいずれであっても、打撃した瞬間における基音（発生音）の音圧レベルが最も高く、その後、音圧レベルが時間の経過と共に減衰していく。
【００３５】
ただし、比較例ドラムでは、打撃した後に音圧レベルが減衰する度合いが通常ドラムや実施例ドラム１よりも小さい。すなわち、比較例ドラムによる基音（発生音）では、サステインが通常ドラムや実施例ドラムよりも長い。
これに対し、実施例ドラム１では、打撃した後に音圧レベルが減衰する度合いが、通常ドラムよりも若干大きいものの、比較例ドラムと比較すると通常ドラムと似ている。すなわち、比較例ドラムによる基音（発生音）では、サステインが通常ドラムにより近い長さとなる。したがって、実施例ドラム１によれば、通常ドラムと同様のサステインを保ったままで音量の低減を図ることができる。
【００３６】
サステインが比較例ドラムと、通常ドラムや実施例ドラム１とで異なる理由は、例えば以下のように考えられる。
通常ドラムには開口孔１５が無いため、通常ドラムのバターヘッドを打撃してバターヘッド及びスネアサイドヘッドの有効振動膜部１２が振動した際に、空気が各ドラムヘッドを通してシェル２の内外に流出入することはない。また、スナッピ４がスネアサイドヘッドに押し付けられることで、スネアサイドヘッドの有効振動膜部１２の振動は減衰しやすい。これらの条件は、一部の振動モードにおけるバターヘッドの有効振動膜部１２の振動を制約する方向に機能する、特に、基音をはじめとする低音域の振動モードにおける有効振動膜部１２の振動を制約する方向に機能する。すなわち、有効振動膜部１２の振動を制約するようにシェル２内の空気の負荷が有効振動膜部１２にかかる。このため、一部の振動モード（特に低音域の振動モード）における有効振動膜部１２の振動が早く減衰する、すなわち、サステインが短くなる。
【００３７】
これに対し、比較例ドラムのバターヘッド３Ａを打撃してバターヘッド３Ａ及びスネアサイドヘッド３Ｂの有効振動膜部１２が振動した際には、空気が開口孔１５を通じてシェル２の内外に流出入する。このため、バターヘッド３Ａの有効振動膜部１２は、空気やスナッピ４を押し付けたスネアサイドヘッド３Ｂによる制約を受けずに自由に振動する。その結果、有効振動膜部１２の振動は、前述した一部の振動モード（特に低音域の振動モード）も含め、通常ドラムの場合よりも遅く減衰する、すなわち、サステインが長くなる。
【００３８】
一方、実施例ドラム１のバターヘッド３Ａを打撃してバターヘッド３Ａ及びスネアサイドヘッド３Ｂの有効振動膜部１２が振動した際には、空気が開口孔１５と遮蔽部６との間の狭い隙間ｔ１を通じてシェル２の内外に流出入する。空気が狭い隙間ｔ１を通過する際には、空気の流速が大きく増加し、その結果、オリフィスの原理によってエネルギー損失が発生するため、一部の振動モード（特に低音域の振動モード）における有効振動膜部１２の振動が抑制される。その結果、有効振動膜部１２の振動が、通常ドラムの場合と同様に早く減衰する、すなわち、サステインが比較例ドラムよりも短くなる。
したがって、実施例ドラム１によれば、通常ドラムと同様の響きや音色を保ちながら、音量を効果的に低減することができる。
【００３９】
以上、本発明について詳細に説明したが、本発明は上記実施形態に限定されるものではなく、本発明の趣旨を逸脱しない範囲において種々の変更を加えることが可能である。
【００４０】
例えば図６に示すように、遮蔽部６は、開口孔１５を有効振動膜部１２の厚さ方向から覆うように配されてもよい。この場合、遮蔽部６は、有効振動膜部１２に対してその厚さ方向に隙間ｔ２をあけて配されればよい。
また、遮蔽部６の一部は、開口孔１５の縁部に対して有効振動膜部１２の厚さ方向に隙間ｔ２をあけて配されるとよい。このため、平面視した遮蔽部６の大きさは、例えば平面視した開口孔１５よりも大きく形成されてもよい。
このように遮蔽部６を配置する場合、開口孔１５の縁部と遮蔽部６との隙間ｔ２は、ドラムヘッド３と遮蔽部６が干渉しない範囲、すなわち、有効振動膜部１２が振動しても遮蔽部６に接触しない範囲で、なるべく小さく設定するとよい。
【００４１】
また、遮蔽部６を有効振動膜部１２に対してその厚さ方向に重ねる場合、遮蔽部６は、例えば図６のようにシェル２の内部に配されるとよい。これにより、遮蔽部６がドラムスティックやスナッピ４等による各ドラムヘッド３の打撃を阻害することを効果的に防止できる。また、上記した遮蔽部６の配置を図６のようにスネアサイドヘッド３Ｂに適用した場合、遮蔽部６がスナッピ４に接触することを確実に防止できるため、スナッピ４によってスネアサイドヘッド３Ｂを打撃した際の発生音が、通常のドラムにおける発生音と大きく異なる不自然な音になることを防止できる。
【００４２】
また、遮蔽部６には、例えば図７に示すように、シェル２の内外の空間を連通させる貫通孔３１が形成されてもよい。平面視した貫通孔３１の大きさは、遮蔽部６や開口孔１５よりも小さい。遮蔽部６に形成される貫通孔３１の数は、一つでもよいが、例えば図７のように複数であってもよい。この構成では、遮蔽部６に貫通孔３１を形成しない場合と比較して、ドラムヘッド３を打撃した際の発生音のサステインが伸びる。
この構成によれば、遮蔽部６に形成される貫通孔３１の大きさや数を調整することで、シェル２に対する空気の流出入によるエネルギー損失の度合いを容易に調整することが可能となる。すなわち、有効振動膜部１２に形成される開口孔１５の大きさや数を変更することなく、サステインを容易に調整することができる。例えば、遮蔽部６に形成される貫通孔３１の数や大きさが増加すると、発生音のサステインは伸びる。
【００４３】
また、遮蔽部６は、例えばシェル２に直接固定されてもよいし、例えばシェル２に一体に形成されてもよい。
また、遮蔽部６は、例えばドラム本体１０のフープ２２で支持されてもよい。この場合、遮蔽部６は、例えばシェル２の外側から開口孔１５に挿入されてもよいし、例えばシェル２の外側に配すると共に開口孔１５を有効振動膜部１２の厚さ方向から覆ってもよい。
【００４４】
また、遮蔽部６をフープ２２で支持する場合、遮蔽部６は、例えば上記実施形態の場合と同様に支持部を介してフープ２２に固定されてもよいし、例えばフープ２２に一体に形成されてもよい。
遮蔽部６をフープ２２で支持する構成では、様々な形状や大きさ、数の開口孔１５を有する様々な種類のドラムヘッド３に交換する際、ドラムヘッド３の種類に対応するフープ２２を、ドラムヘッド３と共に同一のシェル２に対して容易に取り付けることができる。
また、例えば、一部の遮蔽部６がシェル２で支持され、残りの遮蔽部６がフープ２２で支持されてもよい。
【００４５】
また、平面視した開口孔１５の径方向内側の端部の縁形状は、円弧状に限らず、少なくとも径方向内側に向けて先細る凸状に形成されれば任意の形状であってよい。平面視した開口孔１５の径方向内側の端部の縁形状は、例えば有効振動膜部１２の径方向に直交する方向に延びる直線部と、直線部の両端から有効振動膜部１２の径方向外側に向かうにしたがって有効振動膜部１２の周方向に離れるように傾斜して延びる一対の傾斜線部と、を有する形状に形成されてもよい。
【００４６】
また、開口孔１５は、例えば有効振動膜部１２のみに形成されてもよい。この場合、平面視した開口孔１５のうち有効振動膜部１２の径方向外側の端部は、径方向内側の端部の場合と同様に、径方向外側に向けて先細る凸状に形成されるとよい。このように構成されることで、張設部５等によって有効振動膜部１２にテンションを付与する際に、有効振動膜部１２のうち開口孔１５の径方向外側の部位にも十分なテンションを付与することができる。このため、ドラムヘッド３が打撃された際に開口孔１５の径方向内側の部位に不要な共振が現れることを防ぎ、音色が劣化することを防止できる。
開口孔１５が有効振動膜部１２のみに形成される場合、開口孔１５の平面視形状は、例えば円形状、楕円形状、卵形状などに形成されてもよい。また、平面視した開口孔１５の径方向外側の端部及び径方向内側の端部の形状は、互いに同じであってもよいし、異なっていてもよい。
【００４７】
また、各ドラムヘッド３に形成される複数の開口孔１５は、有効振動膜部１２の周方向に一列で並べられることに限らず、例えば複数列で並べられてもよい。この場合、複数の開口孔１５は、例えば一の列の開口孔１５と他の列の開口孔１５とが有効振動膜部１２の径方向に隣り合うように配列されてもよいし、例えば隣り合わないように千鳥状に配列されてもよい。
【００４８】
また、各ドラムヘッド３に形成される複数の開口孔１５は、有効振動膜部１２の周方向に沿って互いに間隔をあけて配列されればよい。複数の開口孔１５は、例えば有効振動膜部１２の軸線（シェル２の軸線）を基準として互いに軸対称あるいは線対称となる位置に配されてもよい。
複数の開口孔１５が、軸対称あるいは線対称となる位置に配され、不等間隔で配列されたドラムヘッド３であっても、ある程度の対称性が保たれるため、多くの振動モードを通常のドラムヘッドに近い振動形態として、通常のドラムヘッドに近い音色を得ることができる。ただし、複数の開口孔１５を不等間隔で配列したドラムヘッド３では、複数の開口孔１５を等間隔で配列したドラムヘッド３と比較して、対称性が一部崩れ、一部の振動モードに変化が生じる。このため、複数の開口孔１５は等間隔で配列したドラムヘッド３の方が、通常のドラムヘッドにより近い音色を得ることができる。
【００４９】
また、開口孔１５は、外周領域１２Ａに形成されることに限らず、有効振動膜部１２のうちドラムスティックやスナッピ等によって打撃され得る領域を除く任意の位置に形成されてもよい。
【００５０】
また、開口孔１５は、例えばバターヘッド３Ａのみ、あるいは、スネアサイドヘッド３Ｂのみに形成されてもよい。これらの構成であっても、上記実施形態の場合と同様に、打撃時の発生音のサステインを短くしたり、発生音の音量を低減したりすることができる。
【００５１】
上記した実施形態や変形例の構造は、スネアドラム１に限らず、例えばタムやバスドラムなど、筒状のシェルの両方の開口にドラムヘッドを取り付けたドラムに適用されてもよい。
例えば図８に示すバスドラム４０に適用する場合には、例えば図９に示すように、図１に例示した上記実施形態のドラムヘッド３をバスドラム４０のバターヘッド３Ｃとして構成するとよい。
【００５２】
バスドラム４０のバターヘッド３Ｃはフットペダル（不図示）によって打撃されるため、バターヘッド３Ｃにおいて打撃される位置は予め定められることが多い。このため、バスドラム４０のバターヘッド３Ｃには、例えばフットペダルによって打撃される中央領域１２Ｂが極端に小さくなるように、開口面積の大きい開口孔１５を形成してもよい。
一方、バスドラム４０のフロントヘッド３Ｄは、打撃されることがないため、例えば上記実施形態のドラムヘッド３と同様に構成されてもよいが、例えば開口孔１５のないドラムヘッドであってもよいし、例えば図１０に示すように、一つの開口孔１５を任意の位置に形成したドラムヘッドであってもよい。図１０に示すバスドラム４０には、フロントヘッド３Ｄの開口孔１５を覆う遮蔽部６が設けられていない。
【００５３】
バターヘッド３Ｃに上記実施形態のドラムヘッド３を適用したバスドラム４０によれば、上記実施形態と同様の効果を奏する。すなわち、打撃時の発生音のサステインを短くしたり、発生音の音量を低減したりすることができる。バスドラム４０では、スネアドラムと同様にタイトな（しまりのある）音が求められることが多いため、サステインを短くすることは非常に有効である。
【００５４】
また、バスドラム４０においては、例えば、バターヘッド３Ｃとして開口孔１５のない通常のドラムヘッドを採用し、かつ、図１１に示すように、フロントヘッド３Ｄとして開口孔１５を形成したドラムヘッドを採用すると共に、この開口孔１５の縁部との間に隙間が形成されるように開口孔１５を覆う遮蔽部６を設けてもよい。開口孔１５の形成位置は、例えば図１１のように平面視したフロントヘッド３Ｄの有効振動膜部１２の中央部分からずれた位置であってもよいし、例えば有効振動膜部１２の中央部分であってもよい。
この構成であっても、上記実施形態の場合と同様に、フロントヘッド３Ｄのみに開口孔１５を形成した通常のバスドラムの音色を保ったままで、打撃時の発生音におけるサステインを短くすることができる。
【００５５】
本発明のドラムは、ドラムスティックやフットペダル、スナッピの他、マレットや手など任意の手段によって打撃されることで音が発生する任意のドラムに適用することができる。また、本発明のドラムは、筒状に形成されて二つの開口を有する胴部を備えるドラムに適用されることに限らず、例えばティンパニ等のように一つの開口のみを有する胴部を備えるドラムにも適用できる。
【符号の説明】
【００５６】
１…スネアドラム（ドラム）、２…シェル（胴部）、３…ドラムヘッド、３Ａ…バターヘッド（ドラムヘッド）、３Ｂ…スネアサイドヘッド（ドラムヘッド）、５…張設部、６…遮蔽部、１０…ドラム本体、１２…有効振動膜部（膜部）、１２Ａ…外周領域、１５…開口孔、２２…フープ、３１…貫通孔、４０…バスドラム（ドラム）、３Ｃ…バターヘッド（ドラムヘッド）、３Ｄ…フロントヘッド（ドラムヘッド）、ｔ１、ｔ２…隙間
【図１】
2016177124.tif 000003
【図２】
2016177124.tif 000004
【図３】
2016177124.tif 000005
【図４】
2016177124.tif 000006
【図５】
2016177124.tif 000007
【図６】
2016177124.tif 000008
【図７】
2016177124.tif 000009
【図８】
2016177124.tif 000010
【図９】
2016177124.tif 000011
【図１０】
2016177124.tif 000012
【図１１】
2016177124.tif 000013